(57)【要約】      （修正有）【課題】斬新な手法により非常にデザイン性が高い包装箱となり、且つ、包装箱に収納される酒の多くの情報を、包装箱を見るだけで患者に伝える機能も発揮し、ひいては消費者の購買欲をそそって販売促進を図ることができ、しかも、簡易な手法であるからコスト安にして量産性に優れるなど、極めて商品価値の高い斬新な包装箱を提供する。【解決手段】酒を収納する包装箱であって、包装箱１の表面には新聞紙２が巻回状態で付されているように看取される処理が施されており、新聞紙２の記事は、この包装箱１に収納される酒の商標，特徴，品質，受賞記録等の説明である。【選択図】図１
0003141410.tif 000002
【実用新案登録請求の範囲】
【請求項１】
酒を収納する包装箱であって、前記包装箱の表面には新聞紙が巻回状態で付されているように看取される処理が施されており、前記新聞紙の記事は、この包装箱に収納される酒の商標，特徴，品質，受賞記録等の説明であることを特徴とする包装箱。
【請求項２】
請求項１記載の包装箱において、前記包装箱の表面の処理は印刷処理であることを特徴とする包装箱。
【請求項３】
請求項２記載の包装箱において、前記印刷処理は白黒印刷処理であることを特徴とする包装箱。
【請求項４】
請求項１〜３いずれか１項に記載の包装箱において、前記新聞紙の巻回状態は、前記包装箱の上下方向に対して傾斜した巻回状態であることを特徴とする包装箱。
【請求項５】
請求項１〜４いずれか１項に記載の包装箱において、前記包装箱は上部開口部に開閉蓋が設けられた紙製の有底角筒状体であることを特徴とする包装箱。
【請求項６】
請求項１〜５いずれか１項に記載の包装箱において、前記酒は日本酒であることを特徴とする包装箱。
【請求項７】
日本酒を収納する紙製の包装箱であって、前記包装箱の表面には、発行日付，広告欄，記事部分から成る日刊新聞のように構成された新聞紙様の模様が印刷されており、この印刷された新聞紙様の模様の記事部分の記事は、この包装箱に収納される日本酒の商標，特徴，品質，受賞記録等の説明であることを特徴とする包装箱。
【考案の詳細な説明】
【技術分野】
【０００１】
本考案は、酒を収納する包装箱に関するものである。
【背景技術】
【０００２】
従来から、ビンに詰めた日本酒の流通に際して、ビンの保護を目的とするのは勿論、商品の販売促進を目的として収納箱（所謂化粧箱）が用いられ、この収納箱にビンに詰めた日本酒を収納して流通・販売するのが一般的であり、このような収納箱としては、例えば実用新案登録第３０９８００５号に開示される収納箱（以下、従来例）が提案されている。
【０００３】
この従来例は、内部に収納したビンが外部から見えるように展示可能な構造であり、ビンの保護は勿論、見栄えがするよう箱の形状に工夫が施されたものである。
【０００４】
【特許文献１】実用新案登録第３０９８００５号公報
【考案の開示】
【考案が解決しようとする課題】
【０００５】
ところが、従来例は、前述したように箱の形状に工夫を施すことで見栄えをよくする技術であるが、日本酒を収納するに利用される通常の収納箱（単なる角筒状の箱）に比し、コスト高にして量産性が悪いなどの問題点がある。
【０００６】
本考案者等は、前述した問題点に着目し、酒を収納する収納箱について更なる研究を進め、その結果、極めて商品価値の高い収納箱を考案した。
【課題を解決するための手段】
【０００７】
添付図面を参照して本考案の要旨を説明する。
【０００８】
酒を収納する包装箱であって、前記包装箱１の表面には新聞紙２が巻回状態で付されているように看取される処理が施されており、前記新聞紙２の記事は、この包装箱１に収納される酒の商標，特徴，品質，受賞記録等の説明であることを特徴とする包装箱に係るものである。
【０００９】
また、請求項１記載の包装箱において、前記包装箱１の表面の処理は印刷処理であることを特徴とする包装箱に係るものである。
【００１０】
また、請求項２記載の包装箱において、前記印刷処理は白黒印刷処理であることを特徴とする包装箱に係るものである。
【００１１】
また、請求項１〜３いずれか１項に記載の包装箱において、前記新聞紙２の巻回状態は、前記包装箱１の上下方向に対して傾斜した巻回状態であることを特徴とする包装箱に係るものである。
【００１２】
また、請求項１〜４いずれか１項に記載の包装箱において、前記包装箱１は上部開口部に開閉蓋３が設けられた紙製の有底角筒状体であることを特徴とする包装箱に係るものである。
【００１３】
また、請求項１〜５いずれか１項に記載の包装箱において、前記酒は日本酒であることを特徴とする包装箱に係るものである。
【００１４】
また、日本酒を収納する紙製の包装箱であって、前記包装箱１の表面には、発行日付，広告欄，記事部分から成る日刊新聞のように構成された新聞紙様の模様２が印刷されており、この印刷された新聞紙様の模様２の記事部分の記事は、この包装箱１に収納される日本酒の商標，特徴，品質，受賞記録等の説明であることを特徴とする包装箱に係るものである。
【考案の効果】
【００１５】
本考案は上述のように構成したから、従来にない斬新な手法により非常にデザイン性が高い包装箱となり、且つ、包装箱に収納される酒の多くの情報を、包装箱を見るだけで看者に伝える機能も発揮し、ひいては消費者の購買欲をそそって販売促進を図ることができ、しかも、簡易な手法であるからコスト安にして量産性に秀れるなど、極めて商品価値の高い斬新な収納箱となる。
【考案を実施するための最良の形態】
【００１６】
好適と考える本考案の実施形態を、図面に基づいて本考案の作用を示して簡単に説明する。
【００１７】
本考案に係る包装箱１の表面には、新聞紙２が巻回状態で付されているように看取される処理が施されており、前記新聞紙２の記事は、この包装箱１に収納される酒の商標，特徴，品質，受賞記録等の説明である。
【００１８】
例えばビンに詰めた日本酒の流通に際して、店頭に並ぶ状態を目にした消費者は、従来にない斬新なデザインとユニークさにひかれて思わず手に取って見てしまうといったアピール効果が非常に高く、そして、実際に手に取った消費者は、例えば収納される日本酒の商標，特徴，品質，受賞記録等、その収納箱１に収納される日本酒に関する情報を読んでその日本酒のことやメーカーの思いなどを良く理解することができ（収納箱１に収納される日本酒の説明であるから、デザイン機能の他にもカタログやパンフレットなどの広告媒体としても機能する）、ひいては購入する意欲（購買欲）がそそられることになる。
【００１９】
特に包装箱１には記載されることの少ない日本酒に対するメーカー（職人）の思いのような内容は、包装箱１中に納められる冊子に書かれることになるが、この冊子の分、コスト高になる為、あまりこのような冊子等は作られず、よって、メーカーの営業活動から販売業者（酒販売店）へ、そして販売業者から消費者へと口コミで間接的に伝わるのが通例である（しかし、現実には十分伝わりきれていない。）。
【００２０】
この点、本考案に係る包装箱１によれば包装箱１を手に取るだけでメーカーの思いなどの内容も直接消費者に十分伝わることになる。即ち、本考案は、文字情報が付されることのない包装箱１の表面（スペース）をうまく利用して包装箱１内の酒の情報を看者に伝えようとするものであり、更に、包装箱１の表面は相当な広さを有する為、それだけ多くの情報を看者に伝えることが可能となる。そして、意外にも、文字が新聞のように配されると、そのデザイン性が極めて斬新となり、よって、本考案によれば、表面に収納される酒の情報を文字で多量に表せると同時に、この文字により秀れたデザインが得られることになる。
【００２１】
以上、日本酒を取り扱うメーカーにおいても、包装箱１に施した斬新なデザインとその機能により販売促進を図ることができ、しかも、簡易な手法であるからコスト安に量産することができ、従来のように包装箱１とは別に必要となるカタログやパンフレット、テレビＣＭなどの費用も削除若しくは低減できる点からもコスト安となるなど、非常に商品価値に秀れたもの、即ち、包装箱１に施される新聞紙２が、デザイン機能と、収納される酒の理解を消費者に深める機能を具備するという、従来にない効果を発揮するものとなる。
【００２２】
また、請求項２記載の考案においては、前記包装箱１の表面の処理は印刷処理であるから、例えば包装箱１の表面に新聞紙２を貼り付けるなどの手法に比し、コスト安にして量産性に秀れることになる。
【００２３】
また、請求項３記載の考案においては、前記印刷処理は白黒印刷処理であるから、より一層新聞の雰囲気がかもし出されることになる。
【００２４】
また、請求項４記載の考案においては、前記新聞紙２の巻回状態は、前記包装箱１の上下方向に対して傾斜した巻回状態であるから、包装箱１の表面に新聞紙２を巻回した印象がより一層強くなり、従来にない斬新なデザインとなる。即ち、お店で購入した酒は、新聞紙で巻いて包装されていたことが思い出される秀れたデザインとなる。
【００２５】
また、請求項５記載の考案においては、前記包装箱１は上部開口部に開閉蓋３が設けられた紙製の有底角筒状体であるから、前述した従来例と異なり、包装箱１を何ら特別な形状に加工することはなく、この点においてもコスト安にして量産性に秀れることになる。
【００２６】
また、請求項６記載の考案においては、前記酒は日本酒であるから、従来にない非常に斬新なデザインとなる。
【００２７】
また、請求項７記載の考案においては、前記包装箱１の表面には、発行日付，広告欄，記事部分から成る日刊新聞のように構成された新聞紙様の模様２が印刷されており、この印刷された新聞紙様の模様２の記事部分の記事は、この包装箱１に収納される日本酒の商標，特徴，品質，受賞記録等の説明であるから、請求項１の考案と同様、従来にない斬新な手法により非常にデザイン性が高い包装箱となり、且つ、包装箱１に収納される日本酒の多くの情報を、包装箱１を見るだけで看者に伝える機能も発揮し、ひいては消費者の購買欲をそそって販売促進を図ることができ、しかも、簡易な手法であるからコスト安にして量産性に秀れることになる。
【実施例】
【００２８】
本考案の具体的な一実施例について図面に基づいて説明する。
【００２９】
本実施例は、ビンに詰めた酒を収納する包装箱１である。尚、本実施例では、酒として日本酒（清酒）を採用しているが、洋酒でも良いなど、本実施例の特性を発揮する構成であれば適宜採用し得るものである。また、７２０ｍｌ詰ビン用の包装箱１としているが、１８００ｍｌ詰ビン用（一升ビン用）の包装箱１などにしても良い。
【００３０】
具体的には、包装箱１は、図１，２に図示したように適宜な紙製（通常この種の物品に使用されるダンボール紙）であり、正面部１ａ、背面部１ｂ、左側面部１ｃ、右側面部１ｄ及び底面部１ｅから成る有底角筒状体（四角筒状体）の上部開口部に開閉蓋３を設けたものである。
【００３１】
この開閉蓋３は、図３に図示したように正面部１ａ、背面部１ｂ、左側面部１ｃ、右側面部１ｄ夫々の上縁から突出する片部材３ａ，３ｂ，３ｃ，３ｄで構成されており、背面部１ｂ、左側面部１ｃ、右側面部１ｄから突出する片部材３ｂ，３ｃ，３ｄを内側へ折り返した後、正面部１ａから突出し先端に折り曲げ挿入片３ａ’を具備した片部材３ａを内側へ折り返すことで閉塞状態となる。
【００３２】
また、包装箱１の表面には、収納する日本酒を紹介するオリジナル新聞紙２が巻回状態で付されているように看取される処理が施されている。
【００３３】
具体的には、図１〜４に図示したように包装箱１の正面部１ａ、背面部１ｂ、左側面部１ｃ、右側面部１ｄ及び底面部１ｅ夫々の表面には、発行日付，広告欄，記事部分から成る日刊新聞のように構成された新聞紙様の模様２が白黒印刷された紙が貼着されており、この印刷された新聞紙様の模様２の記事部分の記事は、この包装箱１に収納される日本酒の商標，特徴（米の種類や製法など），品質（アルコール度数や等級など），受賞記録等の説明である。
【００３４】
具体的には、図１に図示したように通常新聞名が記載される枠には収納される日本酒（清酒）の商標が付され、また、欄外の通常新聞社名が記載される部分には収納される日本酒のメーカーの名称が付されている。符号４は原材料や精米歩合等をラベル表示した品質表示部分である（この品質表示部分４は他の部分同様、印刷により作られている。）。
【００３５】
尚、新聞デザインとしては、例えば収納箱１内に収納する酒が洋酒である場合には英字新聞のデザインとしても良い。
【００３６】
また、この新聞紙様の模様２の巻回状態は、図４に図示したように包装箱１の上下方向に対して傾斜した巻回状態である。
【００３７】
これは、包装箱１の上下方向に対して単に規則正しく印刷された場合に比して、より一層巻回している印象が強く、しかも、あたかも手で巻いたような味のある手作り感を感じさせるデザイン性を向上することに貢献している。
【００３８】
また、本実施例は、包装箱２の中に印刷された新聞紙様の模様２と同じ内容の新聞紙が商品パンフレットとして収納される。
【００３９】
本実施例は上述のように構成したから、従来にない斬新な手法により非常にデザイン性が高い包装箱となり、且つ、包装箱１に収納される日本酒の多くの情報を、包装箱１を見るだけで看者に伝える機能も発揮し、ひいては消費者の購買欲をそそって販売促進を図ることができ、しかも、簡易な手法であるからコスト安にして量産性に秀れることになる。
【００４０】
また、本実施例は、包装箱１の表面の処理は印刷処理であるから、例えば包装箱１の表面に新聞紙２を貼り付けるなどの手法に比し、コスト安にして量産性に秀れることになる。
【００４１】
また、本実施例は、包装箱１の表面に施される印刷処理は白黒印刷処理であるから、より一層新聞２の雰囲気がかもし出されることになる。
【００４２】
また、本実施例は、新聞紙２の巻回状態は、包装箱１の上下方向に対して傾斜した巻回状態であるから、包装箱１の表面に新聞紙２を巻回した印象がより一層強くなり、従来にない斬新なデザインとなる。
【００４３】
また、本実施例は、包装箱１は上部開口部に開閉蓋３が設けられた紙製の有底角筒状体であるから、前述した従来例と異なり、包装箱１を何ら特別な形状に加工することはなく、この点においてもコスト安にして量産性に秀れることになる。
【００４４】
尚、本考案は、本実施例に限られるものではなく、各構成要件の具体的構成は適宜設計し得るものである。
【図面の簡単な説明】
【００４５】
【図１】本実施例を示す斜視図である。
【図２】本実施例を示す斜視図である。
【図３】本実施例に係る開閉蓋３を開いた状態の説明図である。
【図４】本実施例を示す正面図である。
【符号の説明】
【００４６】
１  包装箱
２  新聞紙・模様
３  開閉蓋
【図１】
0003141410.tif 000003
【図２】
0003141410.tif 000004
【図３】
0003141410.tif 000005
【図４】
0003141410.tif 000006
【手続補正書】
【提出日】平成19年10月29日(2007.10.29)
【手続補正１】
【補正対象書類名】明細書
【補正対象項目名】００３３
【補正方法】変更
【補正の内容】
【００３３】
具体的には、図１〜４に図示したように包装箱１の正面部１ａ、背面部１ｂ、左側面部１ｃ、右側面部１ｄ及び底面部１ｅ夫々の表面には、発行日付，広告欄，記事部分から成る日刊新聞のように構成された新聞紙様の模様２が白黒印刷された紙が貼着されており、この印刷された新聞紙様の模様２の記事部分には、この包装箱１に収納される日本酒の商標（○○○），特徴（米の種類や製法など），品質（アルコール度数や等級など），受賞記録等が記載されている。
【手続補正２】
【補正対象書類名】明細書
【補正対象項目名】００３４
【補正方法】変更
【補正の内容】
【００３４】
具体的には、図１に図示したように通常新聞名が記載される枠には収納される日本酒（清酒）の商標が付され、また、欄外の通常新聞社名が記載される部分には収納される日本酒のメーカーの名称（△△△△）が付されている。符号４は原材料や精米歩合等をラベル表示した品質表示部分である（この品質表示部分４は他の部分同様、印刷により作られている。）。
【手続補正３】
【補正対象書類名】図面
【補正対象項目名】全図
【補正方法】変更
【補正の内容】
【図１】
0003141410.tif 000007
【図２】
0003141410.tif 000008
【図３】
0003141410.tif 000009
【図４】
0003141410.tif 000010
【手続補正書】
【提出日】平成20年1月17日(2008.1.17)
【手続補正１】
【補正対象書類名】図面
【補正対象項目名】全図
【補正方法】変更
【補正の内容】
【図１】
0003141410.tif 000011
【図２】
0003141410.tif 000012
【図３】
0003141410.tif 000013
【図４】
0003141410.tif 000014